(57)【特許請求の範囲】
【請求項１】
複数の録画装置の録画を支援する録画支援装置であって、
各録画装置から、該録画装置がユーザから受け付けた番組を予約するための番組情報を受信すると、該番組情報を出力する受信部と、
前記受信部から番組情報を受け付けると、該番組情報に基づいて、録画推奨番組を示す推奨番組情報を作成し、該推奨番組情報を作成すると、該推奨番組情報を出力する作成部と、
前記作成部から前記推奨番組情報を受け付けると、該推奨番組情報を前記複数の録画装置に出力する出力部と、を含む録画支援装置。
【請求項２】
請求項１に記載の録画支援装置であって、
前記複数の録画装置に出力する情報量を制限するための出力条件を記憶する出力記憶手段をさらに含み、
前記作成部は、前記出力条件にしたがって、前記番組情報から前記推奨番組情報を作成する、録画支援装置。
【請求項３】
録画推奨番組を示す推奨番組情報を出力する録画支援装置と接続される録画装置であって、
ユーザから番組を予約するための番組情報を受け付けると、該番組情報を出力する操作部と、
前記操作部から出力された番組情報を前記録画支援装置に送信し、その後、前記録画支援装置から該番組情報に基づいて作成された録画推奨番組を示す推奨番組情報を受け付ける通信部と、
前記通信部が受け付けた推奨番組情報に基づいて、番組の録画を制御する録画制御手段と、を含む録画装置。
【請求項４】
請求項３に記載の録画装置において、
前記録画支援装置から入手する情報量を制限するための受信条件を記憶する受信記憶部と、
前記通信部が受け付けた推奨番組情報が前記受信条件にあっている場合、該推奨番組情報を選択する選択部と、をさらに含み、
前記録画制御手段は、前記選択部にて選択された推奨番組情報に基づいて、番組の録画を制御する、録画装置。
【請求項５】
複数の録画装置と、前記複数の録画装置の録画を支援する録画支援装置と、を含む録画システムであって、
各録画装置は、
ユーザから番組を予約するための番組情報を受け付けると、該番組情報を出力する操作部と、
前記操作部から出力された番組情報を前記録画支援装置に送信し、その後、前記録画支援装置から該番組情報に基づいて作成された録画推奨番組を示す推奨番組情報を受け付ける通信部と、
前記通信部が受け付けた推奨番組情報に基づいて、番組の録画を制御する録画制御手段と、を含み、
前記録画支援装置は、
各録画装置から前記番組情報を受信すると、該番組情報を出力する受信部と、
前記受信部から番組情報を受け付けると、該番組情報に基づいて、前記推奨番組情報を作成し、該推奨番組情報を作成すると、該推奨番組情報を出力する作成部と、
前記作成部から前記推奨番組情報を受け付けると、該推奨番組情報を前記複数の録画装置に出力する出力部と、を含む、録画システム。
【請求項６】
請求項５に記載の録画システムにおいて、
前記録画装置は、送信条件を記憶する送信記憶手段と、
前記送信条件にしたがって、自己に録画予約された番組を示す番組情報から前記録画支援装置に送信する番組情報を抽出する選択部と、をさらに含み、
前記通信部は、前記選択部が抽出した番組情報を前記録画支援装置に送信する、録画システム。
【請求項７】
複数の録画装置の録画を支援する録画支援装置が行なう録画支援方法であって、
各録画装置から、該録画装置がユーザから受け付けた番組を予約するための番組情報を受信すると、該番組情報を出力する受信ステップと、
前記番組情報を受け付けると、該番組情報に基づいて、録画推奨番組を示す推奨番組情報を作成し、該推奨番組情報を作成すると、該推奨番組情報を出力する作成ステップと、
前記推奨番組情報を受け付けると、該推奨番組情報を前記複数の録画装置に出力する出力ステップと、を含む録画支援方法。
【請求項８】
請求項７に記載の録画支援方法であって、
前記録画支援装置は、前記複数の録画装置に出力する情報量を制限するための出力条件を記憶する出力記憶手段を含み、
前記出力条件にしたがって、前記番組情報から前記推奨番組情報を作成する条件作成ステップをさらに含む録画支援方法。
【請求項９】
録画推奨番組を示す推奨番組情報を出力する録画支援装置と接続される録画装置が行なう録画制御方法であって、
ユーザから番組を予約するための番組情報を受け付けると、該番組情報を出力するステップと、
前記出力された番組情報を前記録画支援装置に送信し、その後、前記録画支援装置から該番組情報に基づいて作成された前記推奨番組情報を受け付ける受付ステップと、
前記受け付けられた推奨番組情報に基づいて、番組の録画を制御する制御ステップと、を含む録画制御方法。
【請求項１０】
請求項９に記載の録画制御方法において、
前記録画装置は、前記録画支援装置から受信する情報量を制限するための受信条件を記憶する受信記憶手段を含み、
前記受付ステップにて受け付けられた推奨番組情報が前記受信条件にあっている場合、該推奨番組情報を選択する選択ステップと、
前記選択された推奨番組情報に基づいて、番組の録画を制御する受信制御ステップと、をさらに含む録画制御方法。
【請求項１１】
複数の録画装置と、前記複数の録画装置の録画を支援する録画支援装置と、を含む録画システムが行なう録画支援方法であって、
各録画装置が、ユーザから番組を予約するための番組情報を受け付けると、該番組情報を出力するステップと、
各録画装置が、前記出力された番組情報を前記録画支援装置に送信する番組送信ステップと、
前記録画支援装置が、各録画装置から前記番組情報を受信すると、該番組情報を出力する番組受信ステップと、
前記録画支援装置が、前記番組情報を受け付けると、該番組情報に基づいて、録画推奨番組を示す推奨番組情報を作成し、該推奨番組情報を作成すると、該推奨番組情報を出力する生成ステップと、
前記録画支援装置が、前記推奨番組情報を受け付けると、該推奨番組情報を前記複数の録画装置に出力する推奨出力ステップと、
前記録画装置が、前記録画支援装置から前記推奨番組情報を受け付ける推奨受付ステップと、
前記録画装置が、前記受け付けられた推奨番組情報に基づいて、番組の録画を制御する録画ステップと、を含む録画支援方法。
【請求項１２】
請求項１１に記載の録画支援方法において、
前記録画装置は、送信条件を記憶する送信記憶手段を含み、
前記録画装置が、前記送信条件にしたがって、自己に録画予約された番組を示す番組情報から前記録画支援装置に送信する番組情報を抽出する抽出する番組抽出ステップと、
前記録画装置が、前記抽出された番組情報を前記録画支援装置に送信する抽出送信ステップと、さらに含む録画支援方法。
【発明の詳細な説明】
【技術分野】
【０００１】
本発明は、番組の録画を予約するための録画支援装置、録画装置、録画システム、録画支援方法および録画制御方法に関する。
【背景技術】
【０００２】
従来、テレビジョンの番組を録画する録画装置では、番組開始時刻、番組終了時刻およびチャンネル、あるいは、Ｇコードなどの入力により特定の番組の録画が予約されていた。
【０００３】
また、近年では、特定の番組の録画を予約するだけでなく、テーマに沿った番組、あるいは、特定の出演者が出演している番組の録画を予約することが可能な録画装置が提案されている。
【０００４】
例えば、特許文献１（特開２００３−８７６７７号公報）には、番組名あるいは出演者などのキーワードが入力されると、入力されたキーワードを、電子番組ガイド（ＥＰＧ：Ｅｌｅｃｔｒｉｃ Ｐｒｏｇｒａｍ Ｇｕｉｄｅ）を記憶するサーバに送信する番組視聴装置が記載されている。
【０００５】
この番組視聴装置では、サーバは、キーワードを受信すると、受信したキーワードで電子番組ガイドを検索して、該キーワードを含む番組情報を取得する。番組視聴装置は、サーバが取得した番組情報が示す番組の録画を予約する。
【特許文献１】特開２００３−８７６７７号公報
【発明の開示】
【発明が解決しようとする課題】
【０００６】
早朝あるいは深夜などの番組では、電子番組ガイドが含む番組情報の情報量が少ない。
【０００７】
例えば、番組情報が、番組名を含むが、出演者名を含まない場合がある。この場合、特許文献１に記載の番組視聴装置では、キーワードとして番組に出演する出演者の名前が入力されても、該番組の録画を予約することができない。
【０００８】
また、一般的に、電子番組ガイドは、広告情報を含まない。このため、特許文献１に記載の番組視聴装置では、特定の広告の録画を予約することができない。
【０００９】
これらの場合、所望の番組あるいは広告の録画を予約するためには、ユーザは、例えば、他の情報源（例えば、雑誌）から所望の番組を探すなどして番組の録画を予約する必要がある。このため、手間がかかる。
【００１０】
また、ユーザが入力するキーワードには、表記のゆれ（例えば、ラーメンおよび中華そば）がある。このため、例えば、電子番組ガイドに含まれる番組情報が「ラーメン」を示す場合、ユーザがキーワードとして「中華そば」が入力しても、該番組情報が示す番組の録画を予約することができない。
【００１１】
このため、ユーザは表記のゆれに注意しながら、番組の録画を予約する必要があるため、手間がかかる。
【００１２】
さらに、近年、番組を放送するチャンネル数が増加しているため、ユーザは、嗜好にあった番組を自分で探し出すことが困難になっている。
【００１３】
本発明の目的は、番組の録画予約にかかるユーザの負担を軽減することが可能な録画支援装置、録画装置、録画システム、録画支援方法および録画制御方法を提供することである。
【課題を解決するための手段】
【００１４】
前記目的を達成するために、本発明の録画支援装置は、複数の録画装置の録画を支援する録画支援装置であって、各録画装置から、該録画装置がユーザから受け付けた番組を予約するための番組情報を受信すると、該番組情報を出力する受信部と、前記受信部から番組情報を受け付けると、該番組情報に基づいて、録画推奨番組を示す推奨番組情報を作成し、該推奨番組情報を作成すると、該推奨番組情報を出力する作成部と、前記作成部から前記推奨番組情報を受け付けると、該推奨番組情報を前記複数の録画装置に出力する出力部と、を含む。
また、本発明の録画予約方法は、複数の録画装置の録画を支援する録画支援装置が行なう録画支援方法であって、各録画装置から、該録画装置がユーザから受け付けた番組を予約するための番組情報を受信すると、該番組情報を出力する受信ステップと、前記番組情報を受け付けると、該番組情報に基づいて、録画推奨番組を示す推奨番組情報を作成し、該推奨番組情報を作成すると、該推奨番組情報を出力する作成ステップと、前記推奨番組情報を受け付けると、該推奨番組情報を前記複数の録画装置に出力する出力ステップと、を含む。
【００１５】
上記の発明によれば、各録画装置から受信された番組情報に基づいて、推奨番組情報が作成される。また、作成された推奨番組情報は、録画装置に出力される。
【００１６】
このため、ユーザは、自分では探せなかった自分の嗜好にあった嗜好番組を推奨番組情報から取得することが可能になる。よって、嗜好番組を探すユーザの手間を軽減することが可能になるため、番組の録画予約にかかるユーザの負担を軽減することが可能になる。
【００１７】
また、前記複数の録画装置に出力する情報量を制限するための出力条件が記憶され、前記出力条件にしたがって、前記番組情報から前記推奨番組情報が作成されることが望ましい。
【００１８】
上記の発明によれば、推奨番組情報が、出力条件にしたがって作成される。このため、ユーザに出力する推奨番組情報の情報量を制限することが可能になる。
【００１９】
また、本発明の録画装置は、録画推奨番組を示す推奨番組情報を出力する録画支援装置と接続される録画装置であって、ユーザから番組を予約するための番組情報を受け付けると、該番組情報を出力する操作部と、前記操作部から出力された番組情報を前記録画支援装置に送信し、その後、前記録画支援装置から該番組情報に基づいて作成された録画推奨番組を示す推奨番組情報を受け付ける通信部と、前記通信部が受け付けた推奨番組情報に基づいて、番組の録画を制御する録画制御手段と、を含む。
【００２０】
また、本発明の録画制御方法は、録画推奨番組を示す推奨番組情報を出力する録画支援装置と接続される録画装置が行なう録画制御方法であって、ユーザから番組を予約するための番組情報を受け付けると、該番組情報を出力するステップと、前記出力された番組情報を前記録画支援装置に送信し、その後、前記録画支援装置から該番組情報に基づいて作成された前記推奨番組情報を受け付ける受付ステップと、前記受け付けられた推奨番組情報に基づいて、番組の録画を制御する制御ステップと、を含む。
【００２１】
上記の発明によれば、受け付けられた推奨番組情報に基づいて、番組の録画が制御される。このため、推奨番組情報が示す番組の録画を自動的に予約することが可能になる。よって、番組の録画予約にかかるユーザの負担を軽減することが可能になる。
【００２２】
また、前記録画支援装置から入手する情報量を制限するための受信条件が記憶され、前記受け付けられた推奨番組情報が前記受信条件にあっている場合、該受推奨番組情報が選択され、前記選択された推奨番組情報に基づいて、番組の録画が制御されることが望ましい。
【００２３】
上記の発明によれば、入手する情報量を制限するための受信条件にあった推奨番組情報が選択される。これにより、ユーザ必要のない情報を入手することを軽減することが可能になる。
【００２４】
また、本発明の録画システムは、複数の録画装置と、前記複数の録画装置の録画を支援する録画支援装置と、を含む録画システムであって、各録画装置は、ユーザから番組を予約するための番組情報を受け付けると、該番組情報を出力する操作部と、前記操作部から出力された番組情報を前記録画支援装置に送信し、その後、前記録画支援装置から該番組情報に基づいて作成された録画推奨番組を示す推奨番組情報を受け付ける通信部と、前記通信部が受け付けた推奨番組情報に基づいて、番組の録画を制御する録画制御手段と、を含み、
前記録画支援装置は、各録画装置から前記番組情報を受信すると、該番組情報を出力する受信部と、前記受信部から番組情報を受け付けると、該番組情報に基づいて、前記推奨番組情報を作成し、該推奨番組情報を作成すると、該推奨番組情報を出力する作成部と、前記作成部から前記推奨番組情報を受け付けると、該推奨番組情報を前記複数の録画装置に出力する出力部と、を含む。
【００２５】
また、本発明の録画支援方法は、複数の録画装置と、前記複数の録画装置の録画を支援する録画支援装置と、を含む録画システムが行なう録画支援方法であって、各録画装置が、ユーザから番組を予約するための番組情報を受け付けると、該番組情報を出力するステップと、各録画装置が、前記出力された番組情報を前記録画支援装置に送信する番組送信ステップと、前記録画支援装置が、各録画装置から前記番組情報を受信すると、該番組情報を出力する番組受信ステップと、前記録画支援装置が、前記番組情報を受け付けると、該番組情報に基づいて、録画推奨番組を示す推奨番組情報を作成し、該推奨番組情報を作成すると、該推奨番組情報を出力する生成ステップと、前記録画支援装置が、前記推奨番組情報を受け付けると、該推奨番組情報を前記複数の録画装置に出力する推奨出力ステップと、前記録画装置が、前記録画支援装置から前記推奨番組情報を受け付ける推奨受付ステップと、前記録画装置が、前記受け付けられた推奨番組情報に基づいて、番組の録画を制御する録画ステップと、を含む。
【００２６】
上記の発明によれば、録画装置は、自己に録画予約された番組を示す番組情報を録画支援装置に送信すると、その後、録画推奨番組を示す推奨番組情報を受け付ける。また、録画支援装置は、録画装置から番組情報を受信すると、推奨番組情報を作成し、作成した推奨番組情報を録画装置に出力する。
【００２７】
このため、ユーザにて録画が予約されると、録画推奨番組の録画を予約することが可能になる。よって、ユーザは、所望の番組の録画を予約するだけで、録画推奨番組の録画も予約することが可能になる。よって、番組の録画予約にかかるユーザの負担を軽減することが可能になる。
【００２８】
また、前記録画装置では、送信条件が記憶され、前記送信条件にしたがって、自己に録画予約された番組を示す番組情報から前記録画支援装置に送信する番組情報が抽出され、前記抽出された番組情報が前記録画支援装置に送信されることが望ましい。
【００２９】
上記の発明によれば、ユーザは録画支援装置に送信する番組情報を選択することが可能になる。よって、ユーザのプライバシーを保護することが可能になる。
【発明の効果】
【００３０】
本発明によれば、番組の録画予約にかかるユーザの負担を軽減することが可能になる。
【発明を実施するための最良の形態】
【００３１】
以下、本発明の実施例について図面を参照して説明する。
【００３２】
図１は、本発明の一実施例の録画システムを示したブロック図である。
【００３３】
図１において、録画システムは、端末機１００ａおよび１００ｂと、サーバ２００と、ネットワーク網３００とを含む。なお、端末機の数は、図１では２だが、実際には複数であればよい。
【００３４】
端末機１００ａおよび１００ｂは、通信機能を有する録画装置である。
【００３５】
サーバ２００は、例えば、アプリケーションサービスプロバイダサーバであり、端末機１００ａおよび１００ｂの録画を支援する。
【００３６】
また、端末機１００ａ、１００ｂおよびサーバ２００は、ネットワーク網３００を介して相互に接続される。なお、ネットワーク網３００は、例えば、インターネットである。
【００３７】
図２は、端末機１００ａおよび１００ｂの構成を示したブロック図である。なお、端末機１００ａおよび１００ｂは同一の構成のため、端末機１００ａを例に説明する。
【００３８】
図２において、端末機１００ａは、操作部１０１と、制御部１０２と、記憶部１０３と、時計部１０４と、選択部１０５と、通信部１０６と、録画部１０７とを含む。
【００３９】
操作部１０１は、ユーザから、番組を予約するための番組情報を受け付けると、受け付けた番組情報を制御部１０２に出力する。
【００４０】
番組情報は、番組開始時刻、番組終了時刻、チャンネル、番組名およびキーワードなどを、少なくともひとつを示す。
【００４１】
また、操作部１０１は、ユーザから送信時刻を受け付けると、受け付けた送信時刻を制御部１０２に出力する。
【００４２】
記憶部１０３は、予約情報記憶部１１０と、識別子記憶部１１１と、送信時刻記憶部１１２と、送信条件記憶部１１３と、受信条件記憶部１１４とを含む。
【００４３】
予約情報記憶部１１０は、番組を予約するための番組情報を記憶する。
【００４４】
識別子記憶部１１１は、端末機を特定する識別子を記憶する。
【００４５】
送信時刻記憶部１１２は、送信時刻を記憶する。
【００４６】
送信条件記憶部１１３は、番組を予約するための番組情報から、サーバ２００に送信する番組情報を抽出するための送信条件を記憶する。
【００４７】
送信条件は、例えば、「所定のキーワードを示す番組情報を抽出する」あるいは「所定のキーワードを示さない番組情報を抽出する」を示す。
【００４８】
受信条件記憶部１１４は、サーバ２００から入手する情報量を制限するための受信条件を記憶する。
【００４９】
受信条件は、例えば、「一日に入手する情報量の上限値」、「一日に入手する推奨番組情報の上限回数」を示す。
【００５０】
予約条件記憶部１１５は、録画する番組を特定する予約設定情報を作成するための予約条件を記憶する。
【００５１】
予約設定情報は、例えば、番組開始時刻、番組終了時刻およびチャンネルを含む。
【００５２】
なお、送信条件、受信条件および予約条件は、ユーザにて設定される。
【００５３】
番組表記憶部１１６は、電子番組ガイドを記憶する。
【００５４】
予約設定記憶部１１７は、予約設定情報を記憶する。
【００５５】
制御部１０２は、操作部１０１から番組情報を受け付けると、受け付けた番組情報を、録画部１０７に出力すると共に、予約情報記憶部１１０に記憶する。
【００５６】
制御部１０２は、番組情報を記憶すると、識別子記憶部１１１から識別子を取得する。
【００５７】
制御部１０２は、操作部１０１から番組情報を受け付けた後に、識別子を取得すると、取得した識別子と受け付けた番組情報とを選択部１０５に出力する。
【００５８】
また、制御部１０２は、操作部１０１から送信時刻を受け付けると、受け付けた送信時刻を送信時刻記憶部１１２に記憶する。
【００５９】
時計部１０４は、現在時刻を測定する。
【００６０】
制御部１０２は、時計部１０４および送信時刻記憶部１１２を監視して、時計部１０４にて測定された現在時刻が、送信時刻記憶部１１２に記憶された送信時刻か否かを判断する。
【００６１】
現在時刻がその送信時刻になると、制御部１０２は、予約情報記憶部１１０から番組情報を取得すると共に、識別子記憶部１１１から識別子を取得する。
【００６２】
制御部１０２は、番組情報および識別子を取得すると、取得した番組情報および識別子を選択部１０５に出力する。
【００６３】
選択部１０５は、制御部１０２から番組情報および識別子を受け付けると、送信条件記憶部１１４に記憶された送信条件を確認する。
【００６４】
選択部１０５は、送信条件を確認すると、確認した送信条件にしたがって、受け付けた番組情報から、サーバ２００に送信する番組情報を抽出する。
【００６５】
例えば、送信条件が「所定のキーワードを示す番組情報抽出する」を示す場合、選択部１０５は、送信条件を確認すると、受け付けた番組情報から、所定のキーワードを示す番組情報を抽出する。
【００６６】
選択部１０５は、番組情報を抽出すると、抽出した番組情報と受け付けた識別子とを通信部１０６に出力する。
【００６７】
通信部１０６は、選択部１０５から番組情報および識別子を受け付けると、受け付けた番組情報および識別子を、ネットワーク網３００を介してサーバ２００に送信する。
【００６８】
サーバ２００は、受信部２０１と、作成部２０２と、サーバ記録部２０３と、入力部２０４と、出力部２０５とを含む。
【００６９】
受信部２０１は、端末機１００ａ（具体的には、通信部１０６）から番組情報および識別子を受信すると、受信した番組情報および識別子を作成部２０２に出力する。
【００７０】
サーバ記憶部２０３は、ユーザ情報記憶部２１０と、番組情報記憶部２１１とを含む。
【００７１】
ユーザ情報記憶部２１０は、識別子と、該識別子にて特定される端末機のユーザの所属するグループを特定する所属識別子と、該識別子にて特定される端末機に送信する情報量を制限するための返信条件と、を識別子ごとに関連づけて記憶する。
【００７２】
グループは、例えば、ネットワークコミュニティーである。例えば、グループには、特定の出演者に関するグループ、あるいは、特定のキーワード（例えば、ラーメン）に関するグループなどがある。
【００７３】
番組情報記憶部２１１は、所属識別子と、該所属識別子が特定するグループのユーザが録画を予約した番組を示す番組情報と、を所属識別子ごとに関連づけて記憶する。
【００７４】
作成部２０２は、受信部２０１から番組情報および識別子を受け付けると、受け付けた番組情報および識別子に基づいて、録画推奨番組を示す推奨番組情報を作成する。
【００７５】
作成部２０２は、管理部２２０と、抽出部２２１とを含む。
【００７６】
管理部２２０は、受信部２０１から番組情報および識別子を受け付けると、受け付けた識別子と関連づけられた所属識別子をユーザ情報記憶部２１０から取得する。
【００７７】
管理部２２０は、所属識別子を取得すると、取得した所属識別子と受け付けた番組情報とを関連づけて番組情報記憶部２１１に記憶する。
【００７８】
管理部２２０は、所属識別子および番組情報を関連づけて記憶すると、取得した所属識別子と番組情報記憶部２１１にて関連づけられた番組情報に基づいて、推奨番組情報を作成する。
【００７９】
例えば、管理部２２０は、取得した所属識別子と番組情報記憶部２１１にて関連づけられた番組情報を確認する。
【００８０】
管理部２２０は、番組情報を確認すると、確認した番組情報にて録画予約した予約人数を番組情報ごとに算出する。具体的には、管理部２２０は、番組情報を確認すると、確認した番組情報にて録画予約した予約人数を、番組情報が示す番組名、番組時間帯（番組開始時刻ないし番組終了時刻）およびキーワードごとに算出する。
【００８１】
管理部２２０は、予約人数を算出すると、算出した予約人数が多い順に、番組名、番組時間帯およびキーワードを、所定の数だけ示す推奨番組情報を作成する。
【００８２】
なお、管理部２２０は、算出した予約人数が多い順に、番組名、番組時間帯およびキーワードの少なくとも一つを、所定の数だけ示す推奨番組情報を作成してもよい。  例えば、管理部２２０は、算出した予約人数が多い順に、番組名を所定の数だけ示す推奨番組情報を作成してもよい。
【００８３】
また、管理部２２０は、番組情報と該番組情報にて録画予約された予約人数とを関連づけた情報を推奨番組情報としてもよい。
【００８４】
管理部２２０は、識別子を受け付けた後で、推奨番組情報を作成すると、受け付けた識別子と作成した推奨番組情報とを抽出部２２１に出力する。
【００８５】
抽出部２２１は、管理部２２０から識別子および推奨番組情報を受け付けると、受け付けた識別子とユーザ記憶部２１０で関連づけられた返信条件を確認する。
【００８６】
抽出部２２１は、返信条件を確認すると、確認した返信条件にしたがって、受け付けた推奨番組情報から端末機１００ａに送信する推奨番組情報を抽出する。
【００８７】
例えば、返信条件が「番組名を示す番組情報を予約人数の多い順に３つだけ送信する」を示すと、選択部１０５は、受け付けた推奨番組情報から、予約人数の多い順に３つだけ、該予約人数と関連づけられた番組名を示す番組情報を推奨番組情報として抽出する。
【００８８】
抽出部２２１は、推奨番組情報を抽出すると、抽出した推奨番組情報を出力部２０５に出力する。
【００８９】
また、サーバ２００の管理者が、推奨番組情報を作成するための番組情報を更新してもよい。
【００９０】
具体的には、入力部２０４は、管理者から番組情報および所属識別子を受け付けると、受け付けた番組情報および所属識別子を管理部２２０に出力する。
【００９１】
次に、管理部２２０は、入力部２０４から番組情報および所属識別子を受け付けると、受け付けた番組情報および所属識別子を番組情報記憶部２１１に記憶する。
【００９２】
出力部２０５は、抽出部２２１から推奨番組情報を受け付けると、受け付けた推奨番組情報を、ネットワーク網３００を介して端末機１００ａ（具体的には、通信部１０６）に出力する。
【００９３】
通信部１０６は、出力部２０５から推奨番組情報を受け付けると、受け付けた推奨番組情報を選択部１０５に出力する。
【００９４】
選択部１０５は、通信部１０６から推奨番組情報を受け付けると、受信条件記憶部１１４に記憶された受信条件を確認する。
【００９５】
選択部１０５は、受け付けた推奨番組情報が確認した受信条件に合っているか否かを判断する。
【００９６】
その推奨番組情報が確認した受信条件にあっている場合、選択部１０５は、受け付けた推奨番組情報を入手する推奨番組情報として選択する。
【００９７】
例えば、受信条件が「一日に受信する推奨番組情報の上限値が３」を示すと、選択部１０５は、受信条件を確認すると、受け付けた推奨番組情報を受信した回数が３より多いか否かを判断する。
【００９８】
次に、推奨番組情報を受信した回数が３より少ないと、選択部１０５は、受け付けた推奨番組情報を入手する推奨番組情報として選択する。なお、選択部１０５は、推奨番組情報を一日に受け付けた回数を保持する。
【００９９】
選択部１０５は、推奨番組情報を選択すると、選択した推奨番組情報を、録画部１０７に出力する。
【０１００】
録画部１０７は、選択部１０５から番組情報あるいは推奨番組情報を受け付けると、受け付けた番組情報あるいは推奨番組情報に基づいて、番組を録画する。
【０１０１】
録画部１０７は、録画制御部１２０と、番組受信部１２１と、記録部１２２とを含む。
【０１０２】
録画制御部１２０は、選択部１０５から番組情報あるいは推奨番組情報を受け付けると、受け付けた番組情報あるいは推奨番組情報に基づいて、番組の録画を制御する。
【０１０３】
具体的には、録画制御部１２０は、受け付けた番組情報あるいは推奨番組情報に基づいて、予約設定情報を作成する。
【０１０４】
例えば、番組情報がキーワード「ＡＡＡ」を含む場合、録画制御部１２０は、選択部１０５から番組情報を受け付けると、受け付けた番組情報で、番組表記憶部１１６に記憶された電子番組ガイドを検索する。
【０１０５】
制御部１０２は、電子番組ガイドを検索すると、検索した電子番組ガイドから、キーワード「ＡＡＡ」を示す番組情報の番組の番組開始時刻、番組終了時刻およびチャンネルを示す番組情報を、予約設定情報として抽出する。
【０１０６】
なお、番組情報が番組開始時刻、番組終了時刻およびチャンネルを示す場合、録画制御部１２０は、選択部１０５から番組情報を受け付けると、受け付けた番組情報を予約設定情報とする。
【０１０７】
また、録画制御部１２０は、選択部１０５から推奨番組情報を受け付けると、予約条件記憶部１１５に記憶された予約条件を確認する。
【０１０８】
録画制御部１２０は、予約条件を確認すると、確認した予約条件にしたがって、受け付けた推奨番組情報から予約許可情報を抽出する。
【０１０９】
例えば、予約条件が「キーワード「ＡＡＡ」を含む番組のみ予約する」を示す場合、録画制御部１２０は、予約条件を確認すると、受け付けた推奨番組情報からキーワード「ＡＡＡ」を予約許可情報として抽出する。
【０１１０】
録画制御部１２０は、予約許可情報を抽出すると、抽出した予約許可情報に基づいて、予約設定情報を作成する。具体的には、録画制御部１２０は、番組情報から予約設定情報を作成する処理と同様な処理を行ない、抽出した予約許可情報から予約設定情報を作成する。
【０１１１】
録画制御部１２０は、予約設定情報を作成すると、作成した予約設定情報を予約設定記憶部１１７に記憶する。
【０１１２】
また、録画制御部１２０は、時計部１０４および予約設定記憶部１１７を監視する。
【０１１３】
時計部１０４にて測定された現在時刻が予約設定記憶部１１７に記憶された予約設定情報が示す録画開始時刻になると、録画制御部１２０は、番組受信部１２１に、該予約設定情報が示すチャンネルの番組を受信させる。
【０１１４】
番組受信部１２１は、例えば、テレビチューナである。
【０１１５】
番組受信部１２１は、番組を受信すると、受信した番組を録画制御部１２０に出力する。
【０１１６】
録画制御部１２０は、番組受信部１２１から番組を受け付けると、受け付けた番組を記録部１２２に記録する。なお、録画制御部１２０は、番組受信部１２１から番組がアナログ信号で受け付けた場合、アナログ信号をデジタル信号に変換して、記録部１２２に記録してもよい。
【０１１７】
記録部１２２は、例えば、ハードディスクである。
【０１１８】
次に動作を説明する。
【０１１９】
図４は、録画システムの動作を説明するためのフローチャートである。
【０１２０】
端末機１００ａの操作部１０１は、ユーザから番組情報を受け付けると、ステップＳ４０１を実行する。
【０１２１】
ステップＳ４０１では、操作部１０１は、受け付けた番組情報を制御部１０２に出力する。制御部１０２は、番組情報を受け付けると、ステップＳ４０２を実行する。
【０１２２】
ステップＳ４０２では、制御部１０２は、受け付けた番組情報を、録画制御部１２０に出力すると共に、予約情報記憶部１１０に記憶する。制御部１０２は、ステップＳ４０２を終了すると、ステップＳ４０３を実行する。
【０１２３】
ステップＳ４０３では、制御部１０２は、識別子記憶部１１１から識別子を取得する。
【０１２４】
制御部１０２は、識別子を取得すると、取得した識別子と受け付けた番組情報とを選択部１０５に出力する。選択部１０５は、識別子および番組情報を受け付けると、ステップＳ４０４を実行する。
【０１２５】
ステップＳ４０４では、選択部１０５は、送信条件記憶部１１４に記憶された送信条件を確認する。
【０１２６】
選択部１０５は、送信条件を確認すると、確認した送信条件にしたがって、受け付けた番組情報からサーバ２００に送信する番組情報を抽出する。選択部１０５は、番組情報を抽出すると、ステップＳ４０５を実行する。
【０１２７】
ステップＳ４０５では、選択部１０５は、抽出した番組情報と受け付けた識別子とを通信部１０６に出力する。
【０１２８】
通信部１０６は、番組情報および識別子を受け付けると、受け付けた番組情報および識別子をサーバ２００の受信部２０１に送信する。受信部２０１は、番組情報および識別子を受信すると、ステップＳ４０６を実行する。
【０１２９】
ステップＳ４０６では、受信部２０１は、受信した番組情報および識別子を管理部２２０に出力する。管理部２２０は、番組情報および識別子を受け付けると、ステップＳ４０７を実行する。
【０１３０】
ステップＳ４０７では、管理部２２０は、受け付けた識別子と関連づけられた所属識別子を、ユーザ情報記憶部２１０から取得する。
【０１３１】
管理部２２０は、所属識別子を取得すると、取得した所属識別子と受け付けた番組情報とを番組情報記憶部２１１に記憶する。管理部２２０は、所属識別子および番組情報を記憶すると、ステップＳ４０８を実行する。
【０１３２】
ステップＳ４０８では、管理部２２０は    、取得した所属識別子と番組情報記憶部２１１にて関連づけられた番組情報に基づいて、推奨番組情報を作成する。
【０１３３】
管理部２２０は、推奨番組情報を作成すると、作成した推奨番組情報と受け付けた識別子とを選択部１０５に出力する。抽出部２２１は、推奨番組情報を受け付けると、ステップＳ４０９を実行する。
【０１３４】
ステップＳ４０９では、抽出部２２１は、受け付けた識別子と返信条件記憶部２１２にて関連づけられた返信条件を確認する。
【０１３５】
抽出部２２１は、返信条件を確認すると、確認した返信条件にしたがって、受け付けた推奨番組情報から端末機１００ａに送信する推奨番組情報を抽出する。抽出部２２１は、推奨番組情報を抽出すると、ステップＳ４１０を実行する。
【０１３６】
ステップＳ４１０では、抽出部２２１は、抽出した推奨番組情報を出力部２０５に出力する。
【０１３７】
出力部２０５は、推奨番組情報を受け付けると、受け付けた推奨番組情報を、ネットワーク網３００を介して端末機１００ａの通信部１０６に出力する。通信部１０６は、推奨番組情報を受け付けると、ステップＳ４１１を実行する。
【０１３８】
ステップＳ４１１では、通信部１０６は、受け付けた推奨番組情報を選択部１０５に出力する。選択部１０５は、推奨番組情報を受け付けると、ステップＳ４１２を実行する。
【０１３９】
ステップＳ４１２では、選択部１０５は、受信条件記憶部１１４に記憶された受信条件を確認する。
【０１４０】
選択部１０５は、受け付けた推奨番組情報が確認した受信条件に合っているか否かを判断する。その推奨番組情報が受信条件にあっていると、選択部１０５は、ステップ４１３を実行し、一方、その推奨番組情報が受信条件にあっていないと、ステップ４１４を実行する。
【０１４１】
ステップ４１３では、選択部１０５は、受け付けた推奨番組情報を入手する推奨番組情報として選択する。
【０１４２】
一方、ステップ４１４では、選択部１０５は、動作を終了する。
【０１４３】
ステップＳ４１４では、選択部１０５は、選択した推奨番組情報を、録画制御部１２０に出力する。
【０１４４】
録画制御部１２０は、推奨番組情報を受け付けると、受け付けた推奨番組情報に基づいて、番組の録画を制御する。
【０１４５】
本実施例によれば、受信部２０１は、端末機１００ａおよび１００ｂから番組情報を受信する。作成部２０２は、受信部２０１が受信した番組情報に基づいて、推奨番組情報を作成する。出力部２０５は、作成部２０２が作成した推奨番組情報を端末機１００ａおよび１００ｂに出力する。
【０１４６】
この場合、各端末機から受信された番組情報に基づいて、推奨番組情報が作成される。また、作成された推奨番組情報は、端末機に出力される。
【０１４７】
このため、ユーザは、自分では探せなかった自分の嗜好にあった嗜好番組を推奨番組情報から取得することが可能になる。よって、嗜好番組を探すユーザの手間を軽減することが可能になるため、番組の録画予約にかかるユーザの負担を軽減することが可能になる。
【０１４８】
また、本実施例では、ユーザ情報記憶部２１０は、返信条件を記憶する。作成部２０２は、返信条件に従って、番組情報から推奨番組情報を作成する。
【０１４９】
この場合、推奨番組情報が、出力条件にしたがって作成される。このため、ユーザに出力する推奨番組情報の情報量を制限することが可能になる。
【０１５０】
また、本実施例では、通信部１０６は、推奨番組情報を受け付ける。録画制御部１２０は、通信部１０６が受け付けた推奨番組情報に基づいて、番組の録画を制御する。
【０１５１】
この場合、受け付けられた推奨番組情報に基づいて、番組の録画が制御される。このため、推奨番組情報が示す番組の録画を自動的に予約することが可能になる。よって、番組の録画予約にかかるユーザの負担を軽減することが可能になる。
【０１５２】
また、本実施例では、受信条件記憶部１１４は、受信条件を記憶する。選択部１０５は、通信部１０６が受け付けた推奨番組情報が受信条件にあっている場合、推奨番組情報を選択する。録画制御部１２０は、選択部１０５が選択した推奨番組情報に基づいて、番組の録画を制御する。
【０１５３】
この場合、入手する情報量を制限するための受信条件にあった推奨番組情報が選択される。これにより、ユーザ必要のない情報を入手することを軽減することが可能になる。
【０１５４】
また、本実施例では、通信部１０６は、自己に録画予約された番組を示す番組情報をサーバ２００に送信し、その後、サーバ２００から推奨番組情報を受け付ける。録画制御部１２０は、通信部１０６が受け付けた推奨番組情報に基づいて、番組の録画を制御する。受信部２０１は、端末機１００ａおよび１００ｂから番組情報を受信する。作成部２０２は、受信部２０１が受信した番組情報に基づいて、推奨番組情報を作成する。出力部２０５は、作成部２０２が作成した推奨番組情報を端末機１００ａおよび１００ｂに出力する。
【０１５５】
この場合、上記の発明によれば、端末機１００ａは、自己に録画予約された番組を示す番組情報をサーバ２００に送信すると、その後、録画推奨番組を示す推奨番組情報を受け付ける。また、サーバ２００は、端末機１００ａから番組情報を受信すると、推奨番組情報を作成し、作成した推奨番組情報を録画装置に出力する。
【０１５６】
このため、ユーザにて録画が予約されると、録画推奨番組の録画を予約することが可能になる。よって、ユーザは、所望の番組の録画を予約するだけで、録画推奨番組の録画も予約することが可能になる。したがって、番組の録画予約にかかるユーザの負担を軽減することが可能になる。
【０１５７】
また、送信条件記憶部１１３は、送信条件を記憶する。選択部１０５は、送信条件にしたがって、自己に録画予約された番組を示す番組情報から前記録画支援装置に送信する番組情報を抽出する。通信部１０６は、選択部１０５が抽出した番組情報をサーバ２００に送信する。
【０１５８】
この場合、ユーザは録画支援装置に送信する番組情報を選択することが可能になる。よって、ユーザのプライバシーを保護することが可能になる。
【０１５９】
以上説明した実施例において、図示した構成は単なる一例であって、本発明はその構成に限定されるものではない。
【図面の簡単な説明】
【０１６０】
【図１】本発明の一実施例の録画システムを示したブロック図である。
【図２】端末機の構成の一例を示したブロック図である。
【図３】サーバの構成の一例を示したブロック図である。
【図４】録画システムの動作の一例を説明するためのフローチャートである。
【符号の説明】
【０１６１】
１００ａ  端末機
１００ｂ  端末機
１０１    操作部
１０２    制御部
１０３    記憶部
１０４    時計部
１０５    選択部
１０６    通信部
１０７    録画部
１１０    予約情報記憶部
１１１    識別子記憶部
１１２    送信時刻記憶部
１１３    送信条件記憶部
１１４    受信条件記憶部
１１５    予約条件記憶部
１１６    番組表記憶部
１１７    予約設定情報記憶部
１２０    録画制御部
１２１    番組受信部
１２２    記録部
２００    サーバ
２０１    受信部
２０２    作成部
２０３    サーバ記憶部
２０４    入力部
２０５    出力部
２１０    ユーザ情報記憶部
２１１    番組情報記憶部
２２０    管理部
２２１    抽出部
３００    ネットワーク網
【図１】
0004412493.tif 000002
【図２】
0004412493.tif 000003
【図３】
0004412493.tif 000004
【図４】
0004412493.tif 000005